(57)【要約】      （修正有）【課題】各照明器具のアドレスをユーザ毎に割り付けて設定された割り付け情報を設定する。【解決手段】伝送ラインを介して伝送された制御データに基づき照明器具を制御する複数の端末器と前記伝送ラインを介して通信を行うことにより前記複数の端末器を制御するもので、受信した照明器具の制御情報に基づいて前記制御データを生成して伝送ラインを介して接続された照明器具を制御する照明親機と、前記照明親機に接続され、各照明器具のアドレスをユーザ毎に割り付けて設定された割り付け情報テーブルを記憶する記憶部を有し、ネットワークを介して受信した信号に基づいて、前記記憶部の前記割り付け情報テーブルをユーザ毎に設定あるいは変更するとともに、割り付け情報テーブルに基づき照明器具の制御情報を前記照明親機に送信する遠隔監視システムサーバと、を有している。【選択図】図１
2012142181.tif 000002
【特許請求の範囲】
【請求項１】
伝送ラインを介して伝送された制御データに基づき照明器具を制御する複数の端末器と前記伝送ラインを介して通信を行うことにより前記複数の端末器を制御するもので、受信した照明器具の制御情報に基づいて前記制御データを生成して伝送ラインを介して接続された照明器具を制御する照明親機と；
前記照明親機に接続され、各照明器具のアドレスをユーザ毎に割り付けて設定された割り付け情報テーブルを記憶する記憶部を有し、ネットワークを介して受信した信号に基づいて、前記記憶部の前記割り付け情報テーブルをユーザ毎に設定あるいは変更するとともに、割り付け情報テーブルに基づき照明器具の制御情報を前記照明親機に送信する遠隔監視システムサーバと；
を具備したことを特徴とする照明制御システム。
【請求項２】
前記照明親機は、前記伝送ラインに接続されるスイッチから前記照明器具の制御信号を受信した場合に、前記遠隔監視システムサーバから送信される前記照明器具の制御情報よりも前記スイッチからの照明器具の制御信号を優先して該当する照明器具をオン／オフ制御することを特徴とする請求項１に記載の照明制御システム。
【請求項３】
前記割り付け情報テーブルは、ユーザ毎の照明器具の電力量のデータを有していることを特徴とする請求項１または２に記載の照明制御システム。
【発明の詳細な説明】
【技術分野】
【０００１】
本発明の実施形態は、例えば、建物内の天井面に配設された複数の照明器具を遠隔制御する照明制御システムに関する。
【背景技術】
【０００２】
従来、例えば、オフィスビルや各種施設などでは、各フロアや各エリアなどの照明エリア毎に設置される照明器具などの照明負荷を遠隔制御する照明制御システムが採用されている。
【０００３】
このような照明制御システムには、照明制御装置である照明親機に伝送ラインを介して複数の照明用機器が通信可能に接続され、各照明用機器は照明親機からの制御信号によって制御されるものがある。そして、照明親機と複数の照明用機器とが伝送ラインを介して通信することにより、照明親機は、照明用機器を統合的に管理することができるようになっている。
【０００４】
また、従来の照明制御システムには、ウェブサーバ機能を有して監視サーバとして構成された複数の照明親機を備え、ネットワークを介して上位に接続された汎用のパーソナルコンピュータ等のブラウザ機能を有するクライアント端末器が各照明親機にアクセスして、ブラウザ画面上で当該照明親機の配下の照明用機器の状態を監視制御することができる照明制御システムがある。
【０００５】
このような照明制御システムでは、クライアント端末器は、ブラウザ機能によって監視制御範囲のフロアの見取り図をブラウザ画面に表示し、見取り図上の各照明用機器の実際の物理的配置に対応した位置に照明アイコンが配置されたフロアのマップを表示する。そして、クライアント端末器では、各照明アイコンと対応する照明用機器のアドレスとの対応付けがなされており、ユーザは、マップ上の照明アイコンをクリックすることで、クライアント端末器から照明親機へ監視制御対象の照明用機器の状態を点灯／消灯させる点灯／消灯信号を送信し、照明親機は受信した点灯／消灯信号に基づいて、監視制御対象の照明用機器を点灯／消灯する。
【先行技術文献】
【特許文献】
【０００６】
【特許文献１】特開２００９−１７７７４３号公報
【発明の概要】
【発明が解決しようとする課題】
【０００７】
照明制御システムに接続される照明用機器は、固有のアドレスが割り付けられている。そして、照明制御システムは、例えば、グループ毎の照明器具を夫々遠隔操作するために、予め各照明器具のアドレスをグループ毎に割り付けて設定された割り付け情報を有している。
【０００８】
しかしながら、従来の照明制御システムは、この照明制御システムで用いる複数の照明用機器の実際の物理的配置に対応したアイコンを表示部に表示し、この表示部の画面上でアイコンと照明用機器のアドレスとの対応付けを行うことができるが、予めグループ毎に各照明器具のアドレスを割り付けた割り付け情報を、ユーザ毎に自由に変更することができないといった問題点があった。
【０００９】
そこで、本実施形態は前記問題点に鑑みてなされたもので、各照明器具のアドレスをグループ毎に割り付けて設定された割り付け情報を、ユーザ毎に自由に変更して設定することができる照明制御システムを提供することを目的とする。
【課題を解決するための手段】
【００１０】
実施形態の照明制御システムは、伝送ラインを介して伝送された制御データに基づき照明器具を制御する複数の端末器と前記伝送ラインを介して通信を行うことにより前記複数の端末器を制御するもので、受信した照明器具の制御情報に基づいて前記制御データを生成して伝送ラインを介して接続された照明器具を制御する照明親機と；前記照明親機に接続され、各照明器具のアドレスをユーザ毎に割り付けて設定された割り付け情報テーブルを記憶する記憶部を有し、ネットワークを介して受信した信号に基づいて、前記記憶部の前記割り付け情報テーブルをユーザ毎に設定あるいは変更するとともに、割り付け情報テーブルに基づき照明器具の制御情報を前記照明親機に送信する遠隔監視システムサーバと；を具備している。
【発明の効果】
【００１１】
実施形態に係る照明制御システムによれば、各照明器具のアドレスをユーザ毎に設定することができる。
【図面の簡単な説明】
【００１２】
【図１】実施形態に係る照明制御システムの全体構成を示す構成図。
【図２】図１の照明制御システムにおける照明器具がユーザ毎に割り付けられた構成例を説明するためのフロアの平面図。
【図３】図１の遠隔監視システムサーバ内のＲＡＭに格納されているサーバ状態テーブル１を説明する説明図。
【図４】図１の遠隔監視システムサーバ内のＲＡＭに格納されている割り付け情報テーブル２を説明する説明図。
【図５】ユーザ毎に照明器具を割り付けるときの、パーソナルコンピュータの画面上に表示される変更設定画面の一例を示す図。
【図６】図１の遠隔監視システムサーバのＣＰＵによる照明器具の割り付け設定時又は変更時の制御例を示すフローチャート。
【図７】図１の遠隔監視システムサーバのＣＰＵによる積算電力算出時の制御例を示すフローチャート。
【図８】図１の遠隔監視システムサーバのＣＰＵによるサーバ状態テーブル１の更新時の制御例を示すフローチャート。
【発明を実施するための最良の形態】
【００１３】
実施形態の照明制御システムは、伝送ラインを介して伝送された制御データに基づき照明器具を制御する複数の端末器と前記伝送ラインを介して通信を行うことにより前記複数の端末器を制御するもので、受信して入力される照明器具のオン／オフ情報に基づいて前記制御データを生成して前記照明器具のオン／オフを制御する照明親機と；前記照明親機に接続され、各照明器具のアドレスを割り付けて設定された割り付け情報テーブルを記憶した記憶部を有し、ネットワークを介して供給された信号に基づいて、前記記憶部の前記割り付け情報テーブルをユーザ毎に設定あるいは変更するとともに、設定あるいは変更した割り付け情報テーブルを前記照明親機に送信する遠隔監視システムサーバと；を具備している。
【００１４】
本発明及び以下の請求項の各発明に係わる実施形態において、特に限定しない限り、用語の定義及び技術的意味は次による。
【００１５】
照明器具は、例えば、ＬＥＤを光源として用いた照明器具であるが、これに限定されるものではない。但し、光源の応答速度を考慮すると、光源が通常のランプよりもＬＥＤを光源として用いた照明器具であれば、数多くの照明器具を設置した場合でも、迅速に点消灯、調光制御することができるので有効である。
【００１６】
端末器は、例えば、複数の照明器具を制御する制御端末器であるが、これに限定されるものではなく、その他、明るさセンサ、人感センサ等のセンサ端末器等も含む。この制御端末器は、例えば４回路の照明器具が接続可能で構成されるが、これに限定されるものではなく、例えば８回路の照明器具が接続可能に構成されていてもよい。
【００１７】
また、端末器は、制御データ等を有線で伝送する有線伝送式のコントローラで構成するが、例えば、制御信号を無線で伝送する無線伝送式のコントーラで構成してもよい。
【００１８】
照明親機は、ハブを介して有線で遠隔監視システムサーバに接続される有線伝送式の制御装置で構成するが、例えば、制御信号を無線で伝送する無線伝送式の制御装置で構成してもよい。
【００１９】
遠隔監視システムサーバには、外部から供給された信号、例えば、インターネットやイントラネットを介してユーザ毎に設置されたパーソナルコンピュータからの指示信号が供給されるが、これに限定されるものではない。
【００２０】
割り付け情報テーブルは、各照明器具のアドレスをユーザ毎に割り付けて設定されたテーブルであるが、これに限定されるものではない。例えば、割り付け情報テーブルは、各照明器具のアドレスに応じたオン／オフ情報の状態テーブルと、一以上の照明器具をまとめてグループとし、このグループ毎の各照明器具のアドレスに応じたオン／オフ情報の割り付け情報テーブルとを備えて構成しても良い。
【００２１】
照明親機は、前記伝送ラインに接続されるスイッチから前記照明器具の制御信号を受信した場合に、前記遠隔監視システムサーバから送信される前記照明器具の制御情報よりも前記スイッチからの照明器具の制御信号を優先して該当する照明器具をオン／オフ制御してもよい。すなわち、遠隔監視システムサーバから送信された制御情報によって照明器具が点灯している状態であっても、スイッチからの制御信号によって消灯することができることを意味する。
【００２２】
割り付け情報テーブルは、ユーザ毎に積算された前記グループの照明器具の電力量のデータを有していてもよい。
【００２３】
ユーザ毎に積算された前記グループの照明器具の電力量のデータは、例えば、一日毎、一週間毎、又は一月毎に積算されたものであり、必要に応じて適宜設定すれば良い。このことにより、省エネルギに必要な情報が得られる。
【００２４】
（実施の形態）
図１は、本実施形態に係る照明制御システムの全体構成を示す構成図である。  
図１に示す照明制御システム１は、遠隔監視システムサーバ２と、ハブ３と、複数の照明親機Ｏ１〜Ｏｎ（ｎは整数）とを有して構成される。
【００２５】
遠隔監視システムサーバ（以下、システムサーバと記載）２には、インターネット又はイントラネット等のネットワーク１１を介して、ユーザ毎に設けられたクライアント端末器であるパーソナルコンピュータＰ１…Ｐｍ（ｍは整数）が接続される。  
なお、システムサーバ２は、例えば、オフィスビルや各種施設に１個設けているが、必要に応じて複数個配設しても良い。
【００２６】
また、このシステムサーバ２には、ハブ３を介して複数の照明親機Ｏ１…Ｏｎ（ｎは整数）が接続される。
【００２７】
照明親機Ｏは、例えば、オフィスビルや各種施設などの各フロアや各エリアなどの照明エリア毎に設置される照明器具ＳＬを遠隔制御する中央処理装置として構成される。
【００２８】
この照明親機Ｏには、伝送線（以下、伝送ラインと称す）４を介して後述する複数の制御端末器Ｓ１、Ｓ２、Ｓ３…Ｓｋ（ｋは整数）、壁スイッチ５、ワイヤレス受信器６、７、人感センサ８等が接続される。また、ワイヤレス受信器６に対して赤外線で信号を送信するワイヤレス送信器９から、ワイヤレス受信器７に対して赤外線で信号を送受するワイヤレス送受信器１０から、それぞれ操作信号が送信される。なお、制御端末器Ｓは、図示はしないがセンサ端末器も含む。
【００２９】
複数の制御端末器Ｓ、壁スイッチ５、ワイヤレス受信器６、７、人感センサ８、ワイヤレス送信器９、及びワイヤレス送受信器１０は、伝送ライン４に接続される照明用機器を構成し、これら複数の照明用機器は、伝送ライン４を介して照明親機Ｏによって制御される。  
そして、前記制御端末器Ｓは、伝送ライン４を介して照明親機Ｏに接続されて、対応する照明器具を制御することができる。
【００３０】
なお、制御端末器Ｓに接続される照明器具には、リレー回路（以下、リレーという）によりオン／オフされる照明器具が含まれる。
【００３１】
壁スイッチ５は、各照明器具又は複数の照明器具の集合であるグループに対応したオン、オフスイッチまたは調光、調色スイッチを有しており、ユーザのスイッチ操作に基づいて、対応する照明器具又は複数の照明器具からなるグループを例えばオンにするかオフにするかのオンオフ制御等の制御信号を照明親機Ｏに出力する。
【００３２】
複数の制御端末器Ｓ１、Ｓ２、Ｓ３、…Ｓｋは、例えば４回路の照明器具がそれぞれ接続可能であり、このような複数の制御端末器Ｓ１、Ｓ２、Ｓ３、…Ｓｎが伝送ライン４に接続されている。照明器具としては、例えば、ランプや発光ダイオード（ＬＥＤ）などの光源を用いた照明器具が用いられている。
【００３３】
また、リレーが設けられた構成では、このリレーは、接続された複数の照明器具に対して点灯及び消灯制御を行うものであり、照明親機Ｏから照明制御信号を受信することによって対応する照明器具の点灯及び消灯を行うものである。
【００３４】
ワイヤレス受信器６は、ワイヤレス送信器９から送信される赤外線信号を受信する。このワイヤレス受信器６は、伝送ライン４に接続可能とする伝送インタフェ−スを有し、その伝送インタフェ−スを介して伝送ライン４に接続される。また、このワイヤレス受信器６には、ワイヤレス受信器６のアドレスデ−タを記憶するアドレス設定部、赤外線を受信する赤外線受信ユニットが設けられている。尚、ワイヤレス受信器６は、赤外線を送信可能とするための赤外線送信ユニットを有している。
【００３５】
ワイヤレス受信器７は、ワイヤレス送受信器１０から送信される赤外線信号を受信する。このワイヤレス受信器７は、伝送ライン４に接続可能とする伝送インタフェ−スを有し、その伝送インタフェ−スを介して伝送ライン４に接続される。また、このワイヤレス受信器７には、ワイヤレス受信器７のアドレスデ−タを記憶するアドレス設定部、赤外線を受信する赤外線受信ユニットが設けられている。尚、ワイヤレス受信器７は、ワイヤレス送受信器１０へ、赤外線を送信可能とするための赤外線送信ユニットを有している。
【００３６】
ワイヤレス送信器９は、照明器具の点灯／消灯情報を例えば、赤外線でワイヤレス受信器６に送信する。このワイヤレス送信器９は、照明制御情報を赤外線で送信する赤外線送信部、ワイヤレス送信器９のアドレスデ−タを記憶するメモリ等を有して構成されている。
【００３７】
ワイヤレス送受信器１０は、照明器具の点灯、消灯情報等をワイヤレス受信器７との間で赤外線により送受信するための端末器である。このワイヤレス送受信器１０は、赤外線を送信する赤外線送信部、赤外線を受信する赤外線受信部、照明器具を点灯、消灯制御するための操作ボタン、ワイヤレス送信器９のアドレスデ−タを記憶するメモリを有して構成されている。
【００３８】
人感センサ８は、人の存在を検知して照明器具を点灯制御するためのセンサ端末器である。この人感センサ８は、伝送インタフェ−スを介して伝送ライン４に接続される。さらに、この人感センサ８は、人の存在を人から放射される赤外線を検知する赤外線検出部、人感センサ８のアドレスデ−タを記憶するメモリを有して構成されている。
【００３９】
また、人感センサ８以外にも、図示はしないが伝送インタフェ−スを介して伝送ライン４に他のセンサ端末器が接続される。他のセンサ端末器は、例えば、机上面の照度を一定制御するために照明器具を調光制御するための端末器であり、光を検出するセンサ部、表示部、センサ端末器のアドレスデ−タを記憶するメモリを有している。
【００４０】
なお、本実施形態の照明制御システムでは、一個の照明親機Ｏに接続される、複数の制御端末器Ｓ、壁スイッチ５、ワイヤレス受信器６、７、人感センサ８、ワイヤレス送信器９、及びワイヤレス送受信器１０等の照明用機器群を一個のグループ（例えばグループ＃１）として構成している。すなわち、照明用機器群のグループは、照明親機Ｏｎの数だけ設けられる。この場合、各照明用機器及び照明器具ＳＬには、固有のアドレスが割り付けられている。
【００４１】
このような照明制御システム１では、照明親機Ｏと複数の照明用機器とが伝送ライン４を介して通信することにより、照明親機Ｏは、照明器具を統合的に管理して、複数の制御端末器Ｓ１、Ｓ２、Ｓ３、…Ｓｋに接続された照明器具の点灯及び消灯制御、調光制御が可能である。
【００４２】
また、各照明親機Ｏは、システムサーバ２から送信される照明器具の制御情報を受信した場合には、制御情報に基づいて照明器具ＳＬの点灯及び消灯制御、調光制御するための制御データを生成して該当の照明器具の点灯及び消灯または調光制御を行うことが可能である。
【００４３】
また、システムサーバ２は、前記照明親機Ｏに接続され、各照明器具ＳＬのアドレス及び各照明器具のオン／オフの動作状態を示すオン／オフ情報をグループ毎に割り付けて設定された割り付け情報テーブルを記憶したＲＯＭ２ｂを有し、インターネットあるいはイントラネットなどのネットワーク１１を介して供給された信号に基づいて、前記ＲＯＭ２ｂ内の前記割り付け情報テーブルをユーザ毎に変更するとともに、変更した割り付け情報テーブルの各照明器具ＳＬのオン／オフ情報を前記照明親機Ｏに送信する制御を行う。
【００４４】
次に、本実施形態の照明制御システムの具体的な構成及び割り付け情報テーブルの設定／変更方法について図２〜図５を参照しながら説明する。  
図２は、図１の照明制御システムにおける照明器具がユーザ毎に割り付けられた構成例を説明するためのフロアの平面図、図３は、図１の遠隔監視システムサーバ内のＲＯＭＲＡＭに格納されているサーバ状態テーブル１を説明する説明図、図４は、図１の遠隔監視システムサーバ内のＲＡＭに格納されている割り付け情報テーブル２を説明する説明図、図５は、ユーザ毎に照明器具を割り付けるときの、パーソナルコンピュータの画面上に表示される変更設定画面の一例を示す図である。
【００４５】
図２に示すフロア５０の天井には、例えば、照明親機Ｏ１に接続されたグループ＃１を構成する複数の照明器具ＳＬが配設されている。このレイアウトでは、例えば、アドレス＃１の照明器具ＳＬからアドレス＃９までの照明器具ＳＬが設けられ、これらの照明器具ＳＬは、図中に示す縦方向に３個、横方向に３列配設されている。
【００４６】
また、各アドレス＃の照明器具ＳＬ毎の下側近傍には、例えば、ユーザ毎に設けられた、ネットワーク１１に接続されるパーソナルコンピュータＰ１〜Ｐｍがそれぞれ配設されている。
【００４７】
ここで、図２に示すようなグループ＃１の照明器具のレイアウトである場合に、ユーザＵ１が、所望する照明エリアＥ１に応じたアドレス＃１、２、４、５の各照明器具ＳＬを設定するものとする。ユーザＵ１は、アドレス＃１の照明器具ＳＬの近傍に位置しており、周囲の照明器具ＳＬも含めて点灯させたい場合を想定する。
【００４８】
この場合、ユーザＵ１は、パーソナルコンピュータＰ１内に設けられた例えばブラウザ機能を実行させて、モニタ２０の画面上に図５に示すように設定／変更画面２０Ａを表示させる。
【００４９】
すると、パーソナルコンピュータＰ１は、設定／変更画面２０Ａ上にカーソル２１を表示させる。そして、ユーザＵＩは、そのカーソル２１の一角を、図示しないマウスの左クリックでドラッグしながら図中に示す矢印方向へと移動させることにより選択範囲２２を拡大させて、所望する照明エリアＥ１（図２参照）内のアドレス＃の各照明器具ＳＬがこの選択範囲２２内に収まるように指定する。
【００５０】
そして、パーソナルコンピュータＰ１は、選択範囲２２により所定数の照明器具ＳＬを指定して、マウスの右クリックで設定ボタン２４を有する設定ウィンドウ２３を表示させる。そして、ユーザＵＩは、設定する場合には、マウスによりカーソルをその設定ウィンドウ２３の設定ボタン２４に移動させた後、マウスを左クリックする。
【００５１】
すると、パーソナルコンピュータＰ１は、同画面上に、図５に示すようなユーザ毎の入力ウィンドウ２５を表示させる。この入力ウィンドウ２５は、例えばユーザＩＤの入力欄２５ａと、グループ＃の入力欄２５ｂと、ＯＫボタン２５ｃと、キャンセルボタン２５ｄとを有して構成される。
【００５２】
そして、ユーザＵＩは、各入力欄２５ａ、２５ｂに、図示しないキーボードを用いて必要事項を入力した後、カーソルをボタン２５ａに移動させて左クリックする。
【００５３】
すると、パーソナルコンピュータＰ１は、この入力ウィンドウ２５により入力したユーザＩＤと、グループ＃と、さらに選択範囲２２により指定された照明器具ＳＬのアドレス＃（図５では、アドレス＃１、２，４、５）との各情報を確認した後、ＯＫボタン２５ｃをマウスで選択して、この各情報を示す指示信号を、ネットワーク１１を介してシステムサーバ２に送信する。
【００５４】
このような操作により、ユーザ毎のグループ＃に応じた所望のアドレス＃の照明器具ＳＬを選択設定し、或いは変更設定することができる。
【００５５】
なお、図２中には、ユーザＵ２が所望する照明エリアＥ２が示されており、この照明エリアＥ２は、例えば、アドレス＃４、５、８、９の各照明器具ＳＬを指定している。
【００５６】
システムサーバ２は、当該システム全体を制御するＣＰＵ２ａと、前記割り付け情報テーブルを格納したＲＯＭ２ｂとを有している。
【００５７】
ＲＯＭ２ｂは、ＣＰＵ２ａにより実行されるプログラム、照明親機Ｏに接続される制御端末器Ｓ、照明器具ＳＬとの対応関係（割り付け）情報及びアドレス＃等を記憶する記憶領域を構成する。
【００５８】
また、ＲＯＭ２ｂに格納された状態テーブル、割り付け情報テーブルを図３及び図４に示す。  
図３に示すように、状態テーブルは、例えば、照明器具ＳＬのアドレス＃毎の、オン／オフ状態を示すデータを含む。
【００５９】
また、状態テーブルは、例えば、図３において、アドレス＃１、２、４、５の各照明器具ＳＬがオン状態であり、アドレス＃３、６、７の照明器具ＳＬについてはオフ状態を示している。
【００６０】
割り付け情報テーブルは、各照明器具のアドレスをユーザ毎に割り付けて設定されたテーブルである。例えば、図４に示すように、ユーザＩＤと、各ユーザに対して設定された少なくとも一つ以上のグループ＃と、このグループに対して設定された少なくとも一つ以上の照明器具ＳＬのアドレス＃と、このグループ＃のオン／オフ状態と、これらの照明器具ＳＬの積算された電力量との関係を示すデータとを含む。
【００６１】
図４において、ユーザＵ１により選択設定された照明器具ＳＬのアドレス番号がアドレス＃１、２、４、５だとすると、ユーザＩＤが“１”、グループ＃が“１”、照明器具ＳＬのアドレス番号が“アドレス＃１、２、４、５”、オン／オフ状態が“オン”、そして、電力量が“００ｗ”といったように設定される。ここでオン／オフ状態とは、グループに割付られた照明器具ＳＬをまとめてオンまたはオフのいずれの状態であるかを示すものであり、各ユーザが対象となる照明器具を使用しているか否かを示す情報である。すなわち、各照明器具の実際の制御状態は状態テーブルに反映され、グループ＃のオン／オフ状態はユーザが自分のユーザＩＤに対応する照明器具を使用していなければ、他のユーザが自己のユーザＩＤに基づいて重複する照明器具を使用した場合であってもオフとなる。
【００６２】
次に、本実施の形態の照明制御システムの作用について図６〜図８を用いて説明する。図６は、図１の遠隔監視システムサーバのＣＰＵによる照明器具の割り付け設定時又は変更時の制御例を示すフローチャート、図７は、図１の遠隔監視システムサーバのＣＰＵによる積算電力算出時の制御例を示すフローチャート、図８は、図１の遠隔監視システムサーバのＣＰＵによるサーバ状態テーブル１の更新時の制御例を示すフローチャートである。
【００６３】
本実施形態の照明制御システム１において、図５にて説明したように、ユーザによりパーソナルコンピュータＰを用いて割り付け情報テーブルの設定／変更の要求があったとする。すると、システムサーバ２のＣＰＵ２ａは、図６に示す処理を実行するプログラムを実行する。  
ＣＰＵ２ａは、ステップＳ１の処理により、ユーザＵによるパーソナルコンピュータＰから送信された設定あるいは変更要求に係るユーザＩＤ及びグループ＃が、図４に示す割り付け情報テーブル２内にあるか否かを判断する。
【００６４】
この場合、設定あるいは変更要求に係るユーザＩＤ及びグループ＃が割り付け情報テーブル内にないと判断した場合には、処理をステップＳ２に移行し、逆にあるものと判断した場合には、処理をステップＳ４に移行する。
【００６５】
ステップＳ２の処理では、ＣＰＵ２ａは、設定あるいは変更要求に係るユーザＩＤ、グループ＃、及びアドレス＃等を割り付け情報テーブル２に書き込み、処理をステップＳ３に移行する。
【００６６】
一方、ステップＳ４の判断処理では、設定あるいは変更要求に係るユーザＩＤ及びグループ＃が割り付け情報テーブル２内にあると判断した場合である。ＣＰＵ２ａは、図４に示す割り付け情報テーブル２の内、グループ＃に設定された照明器具の割付を更新するように書き込みを行い、処理をステップＳ３に移行する。
【００６７】
ステップＳ３の判断処理では、ＣＰＵ２ａは、その設定あるいは変更の内容が、照明器具ＳＬに対するオンであるのか否かを判断する。
【００６８】
ステップＳ３において、その設定あるいは変更の内容が、照明器具ＳＬに対するオンであると判断した場合には、ＣＰＵ２ａは、ステップＳ６の処理により、その設定あるいは変更に係るアドレス＃の照明器具ＳＬをオンにするように指示信号を生成すると同時に、該当するアドレス＃の照明器具ＳＬの動作状態をオン（“１”）にするように図３に示すサーバ状態テーブル１に書き込み、処理をステップＳ９に移行する。
【００６９】
一方、ステップＳ３において、その設定あるいは変更の内容が、照明器具ＳＬに対するオンではない、すなわちオフであると判断した場合には、Ｓ５へ移行する。
【００７０】
ステップＳ５では、状態テーブル２を参照して、その設定あるいは変更に係る照明器具ＳＬを含む他のグループ＃において既にオン状態であるか否かが判断される。
【００７１】
ステップＳ５の判断処理で、既にオン状態のグループ＃があると判断した場合には、処理をステップＳ７に移行し、ないものと判断した場合には処理をステップＳ８に移行する。
【００７２】
ステップＳ８では、ＣＰＵ２ａは、その設定あるいは変更に係るアドレス＃の照明器具ＳＬをオン状態からオフ状態、すなわち、“１”から“０”とするように図３に示すサーバ状態テーブル１に書き込み、処理をステップＳ９に移行する。
【００７３】
ステップ７では、設定あるいは変更に係るアドレス＃の照明器具ＳＬの中で、他のグループ＃でオン状態となっている照明器具以外の照明器具をオフ状態、すなわち“１”から“０”とするように図３に示すサーバ状態テーブル１に書き込み、処理をステップＳ９に移行する。
【００７４】
そして、ＣＰＵ２ａは、ステップＳ９の処理において、ユーザにより設定あるいは変更されたアドレス＃の照明器具ＳＬにおけるオン／オフ情報を指示信号として、対応する照明親機Ｏに送信する。
【００７５】
また、システムサーバ２のＣＰＵ２ａは、図７に示すプログラムを常に実行しており、ステップＳ１０による処理にて、オン中の照明器具ＳＬの消費電力を図示しない積算手段を用いて積算し、積算結果を図４に示す割り付け情報テーブル２内の“積算電力Ｗ”に書き込むように常に積算電力量の更新制御を行う。なお、このステップＳ１０の処理による照明器具ＳＬの積算電力は、例えば、一日毎、一週間毎、又は一月毎に積算されたものであればよく、その積算期間を必要に応じて適宜設定することも可能である。
【００７６】
さらに、システムサーバ２のＣＰＵ２ａは、照明親機Ｏの動作状態の監視により照明親機Ｏから照明器具ＳＬのオン／オフ動作情報を取得すると、図８に示すプログラムを実行して、このアドレス＃に応じた照明器具ＳＬのオン／オフ動作情報となるように図３に示す状態テーブル１の更新制御を行う。すなわち、図３に示す状態テーブル１は、常に最新の照明器具ＳＬのオン／オフ動作状態を表すことになる。
【００７７】
なお、照明親機Ｏから照明器具ＳＬのオン／オフ動作情報とは、例えば、壁スイッチ５等の操作により所定の照明器具ＳＬがオン／オフしたときに、このときの動作状態を対応する照明親機Ｏによって監視することで得られるものである。
【００７８】
また、本実施形態において、照明親機Ｏは、前記壁スイッチ５から照明器具ＳＬのオン／オフ信号が供給された場合に、システムサーバ２から送信される照明器具ＳＬのオン／オフ情報等の指示信号よりも前記壁スイッチ５からの照明器具ＳＬのオン／オフ信号を優先して該当する照明器具ＳＬをオン／オフ制御する。
【００７９】
従って、本実施形態によれば、予め各照明器具のアドレス及び各照明器具のオン又はオフの動作状態をグループ毎に割り付けて設定された割り付け情報を、ユーザ毎に自由に変更して設定することができる照明制御システムの実現が可能である。
【００８０】
本発明は、上述した実施の形態及び変形例に限定されるものではなく、本発明の要旨を変えない範囲において、種々の変更、改変等が可能である。
【符号の説明】
【００８１】
１…照明制御システム、
２…遠隔監視システムサーバ、
３…ハブ、
４…伝送ライン
５…壁スイッチ、
６…ワイヤレス受信器、
７…ワイヤレス受信器、
８…人感センサ、
９…ワイヤレス送信器、
１０…ワイヤレス送受信器、
１１…ネットワーク、
２０…モニタ、
２０Ａ…変更画面、
２１…カーソル、
２２…選択範囲、
２３…設定ウィンドウ、
２５…入力ウィンドウ、
Ｅ１、Ｅ２…照明エリア、
Ｕ１、Ｕ２…ユーザ、
Ｏ…照明親機、
Ｐ…パーソナルコンピュータ
Ｓ…制御端末器。
【図１】
2012142181.tif 000003
【図２】
2012142181.tif 000004
【図３】
2012142181.tif 000005
【図４】
2012142181.tif 000006
【図５】
2012142181.tif 000007
【図６】
2012142181.tif 000008
【図７】
2012142181.tif 000009
【図８】
2012142181.tif 000010